(57)【特許請求の範囲】
【請求項１】
人工歯の片側に設けられたクラスプを２分割し、２分割されたクラスプの一方の挟み片を固定されている他方の挟み片に対し回動可能に設け、その回動可能な挟み片を該挟み片の支軸を中心として回動させるレバーが人工歯に取り付けられている部分床義歯において、上記レバーの支軸側は、該レバーの回動操作時に上記回動可能な挟み片を押圧して正逆方向へそれぞれ回動させる押圧部が２か所に設けられている、カム部に形成されている一方、その回動可能な挟み片には、上記カム部の両押圧部に対応させて該両押圧部がそれぞれ当接可能である、被押圧部が設けられていることを特徴とする部分床義歯。
【請求項２】
人工歯の左右両側にそれぞれ設けられたクラスプを２分割し、２分割された各各のクラスプにおける一方の挟み片を固定されている他方の挟み片に対し回動可能に設け、その回動可能な両挟み片を該両挟み片のそれぞれの支軸を中心として回動させるレバーが人工歯に取り付けられている部分床義歯において、上記回動可能な両挟み片の支軸側には被押圧腕をそれぞれ連続して設けると共に、その両被押圧腕のうちの一方の被押圧腕は片側部分が他方の被押圧腕と当接する二股状に形成され、上記レバーの支軸側は、該レバーの回動操作時に上記回動可能な両挟み片のそれぞれの被押圧腕を交互に押圧して該回動可能な両挟み片を正逆方向へ同時に回動させる押圧部が２か所に設けられている、カム部に形成されている一方、上記回動可能な両挟み片の被押圧腕の各各には、上記カム部の両押圧部に対応させて該両押圧部の一つとそれぞれれ当接可能である、被押圧部が設けられていることを特徴とする部分床義歯。
【発明の詳細な説明】
【０００１】
【発明の属する技術分野】
本発明は、義歯の維持装置であるクラスプを義歯の装着時にロック手段によって隣接する歯に固定できるようにした部分床義歯の改良に関する。
【０００２】
【従来の技術】
人工歯と義歯床と維持装置の３部分からなる部分床義歯は、一般的には維持装置であるかぎ状のクラスプを隣接する歯に挟着させて、クラスプのバネ作用により歯間に装着している。この部分床義歯は、特徴の一つである着脱が自由であるということの反面には、装着者の意志に反して外れ易いという不自由さがあり、噛む力も弱いという問題があった。
【０００３】
このような問題を解決するために、本出願人は、クラスプを２分割して、該クラスプを構成する少なくとも一方の挟み片を回動可能とし、義歯の装着時にはレバー操作により回動可能な挟み片を隣接する歯に押し付けて、義歯をロック状態に保持し、その装着状態が強固に安定して外れる心配がなく、噛む力も強くなるといった部分床義歯を発明して、既に特許を得ている（特許第２８７９５６１号公報）。
【０００４】
【発明が解決しようとする課題】
しかしながら、上記特許発明に係る部分床義歯は、回動可能な挟み片のロックを解除するためにレバーを逆操作したとき、挟み片は自由になっても歯に密接したままの状態になっていることがあって、義歯を指先で取り外す操作に若干無理が伴い、特にくさび状のアンダーカット（凹み）が歯に存在している場合は容易に取り外しができないということが判った。そこで、本発明の目的はレバーの逆操作時に回動可能な挟み片を歯から離れる方向へ向かって強制的に回動させ、義歯の取り外しが抵抗なく容易にできるように改良した部分床義歯を提供することにある。
【０００５】
【課題を解決するための手段】
上記目的を達成するために、本発明の特徴とする部分床義歯は、人工歯の片側に設けられたクラスプを２分割し、２分割されたクラスプの一方の挟み片を固定されている他方の挟み片に対し回動可能に設け、その回動可能な挟み片を該挟み片の支軸を中心として回動させるレバーが人工歯に取り付けられている部分床義歯において、上記レバーの支軸側は、該レバーの回動操作時に上記回動可能な挟み片を押圧して正逆方向へそれぞれ回動させる押圧部が２か所に設けられている、カム部に形成されている一方、その回動可能な挟み片には、上記カム部の両押圧部に対応させて該両押圧部がそれぞれ当接可能である、被押圧部が設けられている構成である。
【０００６】
また、上記と同様な目的を達成するために、本発明の特徴とする部分床義歯の他の構成は、人工歯の左右両側にそれぞれ設けられたクラスプを２分割し、２分割された各各のクラスプにおける一方の挟み片を固定されている他方の挟み片に対し回動可能に設け、その回動可能な両挟み片を該両挟み片のそれぞれの支軸を中心として回動させるレバーが人工歯に取り付けられている部分床義歯において、上記回動可能な両挟み片の支軸側には被押圧腕をそれぞれ連続して設けると共に、その両被押圧腕のおちの一方の被押圧腕は片側部分が他方の被押圧腕と当接する二股状に形成され、上記レバーの支軸側は、該レバーの回動操作時に上記回動可能な両挟み片のそれぞれの被押圧腕を交互に押圧して該回動可能な両挟み片を正逆方向へ同時に回動させる押圧部が２か所に設けられている、カム部に形成されている一方、上記回動可能な両挟み片の被押圧腕の各各には、上記カム部の両押圧部に対応させて該両押圧部の一つとそれぞれれ当接可能である、被押圧部が設けられている。
【０００７】
【作用】
この部分床義歯は、一対の挟み片からなるクラスプを歯に抱かせるようにして装着し、その後、レバーを操作して回動可能な挟み片の両被押圧部のうちの一方を押圧し、その挟み片を歯に圧着させると、クラスプは歯を強く挟着した状態でロックされ、義歯を固定状態に保持できる。また、ロックを解除するためにレバーを逆操作すると、この逆操作に追従して回動可能な挟み片は歯から離れる方向へ向かって回動し、義歯の取り外しは抵抗なく容易にできる。
【０００８】
【発明の実施の形態】
以下に、本発明の実施の形態を図面を参照しながら説明する。部分床義歯の装着状態を示す図１〜図３において、１は人工歯であり、これは歯体が２本（複数本）連続しているが、基本的には単一の歯体の人工歯でも本発明を適用できることは勿論である。２は人工歯１の内側に接合固定されている枠体であって、図示の場合は人工歯１の内側部分が枠体２の蓋２ａ部分と接合しており、この枠体２の片側にはクラスプ３が該枠体２より突出した状態で設けられている。
【０００９】
このクラスプ３は２分割され、２分割されたクラスプの一方の挟み片３１を固定されている他方の挟み片３２に対し回動可能に設けてあり、その回動可能な挟み片３１を該挟み片３１の支軸４を中心として回動させるレバー５が枠体２に取り付けられている。このレバー５の支軸６側は、該レバー５の回動操作時に上記回動可能な挟み片３１を押圧して正逆方向へそれぞれ回動させる押圧部５１ａ，５１ｂが設けられている、カム部５１を形成している。
【００１０】
また、回動可能な挟み片３１には、カム部５１の両押圧部５１ａ，５１ｂに対応させて該両押圧部５１ａ，５１ｂがそれぞれ当接可能である、被押圧部３１ａ，３１ｂが設けられている。この構成によれば、回動可能な挟み片３１は、レバー５の前後方向への回動操作時にカム部５１により正逆方向へ向かってそれぞれ押圧され、固定されている挟み片３２に対し接近又は離間する方向へ向かって回動することができる。図中、７はレスト、８は義歯に隣接した歯である。
【００１１】
次に、人工歯の左右両側に設けられているクラスプをそれぞれ２分割し、２分割された各各のクラスプにおける一方の挟み片を固定されている他方の挟み片に対し回動可能に設け、この回動可能な両挟み片をレバー操作により正逆方向へ向かって同時に回動させることができる本発明の他の構成に係る実施の形態を説明する。この説明では、前述した実施の形態の構成部材と均等乃至は相当部材については、同一符号を用いてその説明を省略する。
【００１２】
図４において、１は人工歯、２は枠体であり、この枠体２の左右両側に突出して設けられている両クラスプはそれぞれ２分割され、左右各一対である挟み片１１，１２と挟み片１３，１４を形成している。そして、各対の一方の挟み片１１，１３は枠体２と一体に形成されている他方の固定されている挟み片１２，１４に対し回動可能に設けられており、１５，１６は回動可能な挟み片１１，１３の支軸（支点部）であって、枠体２上にそれぞれ突設されている。
【００１３】
回動可能な挟み片１１，１３はほぼベルクランク状に形成されており、それらの揺動梃子の部分は符号１１ａ，１３ａで、また支軸１５，１６側に連続する被押圧腕の部分は符号１１ｂ，１３ｂでそれぞれ示されている。そして、一方の被押圧腕１１ｂは片側部分１１ｃが被押圧腕１３ｂと当接ｓする二股状に形成されている。
【００１４】
一方、回動可能な挟み片１１，１３を回動させるレバー１７が枠体２上に支軸（支点部）１８で取り付けられており、このレバー１７の支軸１８側には２か所に上記挟み片１１，１３を押圧する押圧部が設けられている。即ち、レバー１７の支軸１８側の部分は、該レバー１７の回動操作時に回動可能な挟み片１１，１３の被押圧腕１１ｂ，１３ｂを交互に押圧する押圧部１９ａ，１９ｂとして、その回動可能な挟み片１１，１３を正逆方向へ同時に回動させるカム部１９を形成している。また、回動可能な挟み片１１，１３の被押圧腕１１ｂ，１３ｂには、上記カム部１９の押圧部１９ａ，１９ｂに対応させて該押圧部１９ａ，１９ｂの一つとそれぞれ当接可能である被押圧部１１ｄ，１３ｄが設けられている。
【００１５】
この実施の形態において、実線により図示するクラスプのロック状態からレバー１７を図上で時計方向（矢印）へ回動する戻し操作を行なうと、先ず、レバー１７の押圧部１９ｂが一方の回動可能な挟み片１１の被押圧部１１ｄを押圧し、該挟み片１１を同様に時計方向へ回動させる。この回動動作によって、回動可能な挟み片１１の被押圧腕１１ｂの片側部分１１ｃにより他方の回動可能な挟み片１３の被押圧腕１３ｂが押圧されるため、その回動可能な挟み片１３は図上で反時計方向へ回動し、結局、両回動可能な挟み片１１，１３を固定されている挟み片１２，１４から離間する方向へ強制的に回動させることができる。
【００１６】
逆に、クラスプのロック操作では、仮想線により図示されているレバー１７を図上で反時計方向へ回動すると、先ず、カム部１９の押圧部１９ｂが一方の回動可能な挟み片１１の被押圧部１１ｄから離れ、次いで、カム部１９の押圧部１９ａが他方の回動可能な挟み片１３の被押圧部１３ｄを押圧する。この押圧によって回動可能な挟み片１３は回動すると同時に、他方の回動可能な挟み片１１を押圧して回動（両被押圧腕１１ｂ，１３ｂが被押圧腕１１ｂの片側部分１１ｃで当接ｓしているため）させ、結局、両回動可能な挟み片１１，１３は固定されている挟み片１２，１４に向かって回動し、クラスプは実線で示すように歯を挟着できる。
【００１７】
以上説明の構成において、枠体２、蓋２ａ、クラスプ３、支軸４，６，１５，１６，１８、レバー６，１７及び挟み片１１，１２，１３，１４にはパラジウム合金等の通常の歯科用金属が用いられる。また、枠体２は、該枠体２に上記構成部材が組付けられた後に蓋２ａをろう付けして、インサート成形等の方法により人工歯１内に埋設固定される。そして、人工歯１は枠体２の蓋２ａと金属により一体成形できることは勿論であり、また、レバー５，１７の取り付け位置は、人工歯１の舌側、或いはその反対側の何れの側でもよい。
【００１８】
【発明の効果】
本発明は上記の如くであって、２分割されているクラスプはレバー操作によって歯を強く挟着した状態でロックされるため、部分床義歯の装着状態は強固に安定し、外れ易いという不具合が解消されることは勿論、噛む力が強くなる利点がある。また、レバーを逆操作すると、クラスプの回動可能な挟み片がレバーの逆操作に追従して歯から離れる方向へ向かって回動し、ロックは簡単に解除されて部分床義歯の取り外しが抵抗なく楽にできるものであって、着脱操作が容易であり違和感なく使用できることと相俟って、その実用的価値は極めて多大である。
【図面の簡単な説明】
【図１】本発明の実施の形態を示す平面図である。
【図２】図１のＡ−Ａ線断面図である。
【図３】図１に示すものから人工歯と枠体の蓋を取り除いて示す平面図である。
【図４】本発明の他の実施の形態を人工歯と枠体の蓋を取り除いて示す平面図である。
【符号の説明】
１は人工歯、２は枠体、３はクラスプ、４，６，１５，１６，１８は支軸、５，１７はレバー、１１，１２，１３，１４，３１，３２は挟み片、１１ｂ，１３ｂは被押圧腕、１１ｃは片側部分、１１ｄ，１３ｄ，３１ａ，３１ｂは被押圧部、５１，１９はカム部、１９ａ，１９ｂ，５１ａ，５１ｂは押圧部、ｓは当接部分である。
【図１】
0003706991.tif 000002
【図２】
0003706991.tif 000003
【図３】
0003706991.tif 000004
【図４】
0003706991.tif 000005